(57)【特許請求の範囲】
【請求項１】
連続する段ボールから構成され、互いにほぼ平行な複数の折曲げ部を有し、該折曲げ部のところで交互に逆方向に折曲げるようにした緩衝体において、
少なくとも一部の折曲げ部が切断線から構成され、該切断線と交差する一対の切込みによって連結部が形成され、前記連結部によって前記切断線の両側の部分が折曲げ可能に連結され、
しかも前記連結部を形成する切込みの終端が連結部の幅が広くなるような斜めの切込みから構成されることを特徴とする緩衝体。
【請求項２】
前記連結部の中間位置に前記連結部の幅方向に延びる不連続なミシン目状の切込みが形成されることを特徴とする請求項１に記載の緩衝体。
【請求項３】
前記連結部の終端の近傍に前記連結部の幅方向に延びる湾曲した切込みが形成されることを特徴とする請求項１または請求項２に記載の緩衝体。
【請求項４】
前記連結部が偏平に押潰されていることを特徴とする請求項１〜請求項３の何れかに記載の緩衝体。
【請求項５】
連続する段ボールから構成され、互いにほぼ平行な複数の折曲げ部を有し、該折曲げ部のところで交互に逆方向に折曲げるようにした緩衝体において、
前記折曲げ部が表面のライナを残した切断線と、所定の幅のスリットとから成り、前記切断線と前記スリットとが交互に形成され、
しかも前記スリットと交差する一対の切込みによって連結部が形成され、前記連結部によって前記スリットの両側の部分が折曲げ可能に連結され、
しかも前記連結部を形成する切込みの終端が連結部の幅が広くなるような斜めの切込みから構成され、
前記切断線がライナを内側にして谷折りされることを特徴とする緩衝体。
【請求項６】
前記連結部の中間位置に前記連結部の幅方向に不連続なミシン目状の切込みが形成されることを特徴とする請求項５に記載の緩衝体。
【請求項７】
前記連結部の終端の近傍に前記連結部の幅方向に延びる湾曲した切込みが形成されることを特徴とする請求項５に記載の緩衝体。
【発明の詳細な説明】
【０００１】
【発明の属する技術分野】
本発明は緩衝体に係り、とくに連続する段ボールから構成され、互いにほぼ平行な複数の折曲げ部を有し、該折曲げ部のところで交互に逆方向に折曲げるようにした緩衝体に関する。
【０００２】
【従来の技術】
例えば特開２０００−１２８２４９号公報には、段ボールの段目の延びる方向と直角な方向に複数本の切断線を互いにほぼ平行に形成するとともに、これらの切断線に間欠的にそれぞれ複数の連結部を形成しておき、これによって複数枚の段ボールを互いに折曲げ可能にし、切断線のところで交互に山折りと谷折りとを行なうとともに、段ボール板を互いに接合するようにした包装用緩衝体が提案されている。
【０００３】
このような緩衝体は、単一の段ボールを折曲げるだけで組立てられ、機械による自動組立てが可能であって、大幅な省力化とコストの削減とを達成することが可能なものである。また複数枚の段ボール板を交互に逆方向に折曲げて接合した構造になっているために、段ボールのみによって緩衝体が構成されることになり、止めワイヤ等の金属を用いることなく緩衝体が組立てられる。従ってリサイクル可能な包装用緩衝体になる。
【０００４】
【発明が解決しようとする課題】
従来のこのような緩衝体の欠点は、切断線を横切るように間接的に形成される連結部の構造にある。すなわち連結部を構成する切込みの終端が破れ易く、切断線のところで交互に逆方向に折曲げたときに連結部がＵ字状に湾曲するようにきれいに変形しない問題があった。また切断線によって分断された部分を互いに糊付けする際に、糊剤が切断線の隙間を通して下方に落下して機械を汚損する問題があった。
【０００５】
本発明はこのような問題点に鑑みてなされたものであって、連結部の構造的な問題を解消し、あるいはまた糊によって板状部を互いに連結した場合に糊剤が流下して機械を汚損させることがないようにした緩衝体を提供することを目的とする。
【０００６】
【課題を解決するための手段】
本願の主要な発明は、連続する段ボールから構成され、互いにほぼ平行な複数の折曲げ部を有し、該折曲げ部のところで交互に逆方向に折曲げるようにした緩衝体において、
少なくとも一部の折曲げ部が切断線から構成され、該切断線と交差する一対の切込みによって連結部が形成され、前記連結部によって前記切断線の両側の部分が折曲げ可能に連結され、
しかも前記連結部を形成する切込みの終端が連結部の幅が広くなるような斜めの切込みから構成されることを特徴とする緩衝体に関するものである。
【０００７】
ここで前記連結部の中間位置に前記連結部の幅方向に延びる不連続なミシン目状の切込みが形成されてよい。また前記連結部の終端の近傍に前記連結部の幅方向に延びる湾曲した切込みが形成されてよい。また前記連結部が偏平に押潰されていてよい。
【０００８】
本願の別の発明は、連続する段ボールから構成され、互いにほぼ平行な複数の折曲げ部を有し、該折曲げ部のところで交互に逆方向に折曲げるようにした緩衝体において、
前記折曲げ部が表面のライナを残した切断線と、所定の幅のスリットとから成り、前記切断線と前記スリットとが交互に形成され、
しかも前記スリットと交差する一対の切込みによって連結部が形成され、前記連結部によって前記スリットの両側の部分が折曲げ可能に連結され、
しかも前記連結部を形成する切込みの終端が連結部の幅が広くなるような斜めの切込みから構成され、
前記切断線がライナを内側にして谷折りされることを特徴とする緩衝体に関するものである。
【０００９】
ここで前記連結部の中間位置に前記連結部の幅方向に不連続なミシン目状の切込みが形成されてよい。また前記連結部の終端の近傍に前記連結部の幅方向に延びる湾曲した切込みが形成されてよい。
【００１１】
【発明の実施の形態】
以下本発明を図示の実施の形態によって説明する。図１〜図４は本発明の第１の実施の形態の緩衝体を示すものであって、この緩衝体は連続する単一の段ボールから構成されている。図１はこのような段ボールを展開した状態を示しており、この段ボールの段目の方向には互いに所定の間隔で半切りの折曲げ線１１と切断線１２とが交互に平行に形成されている。そしてとくに切断線１２を横切るように間欠的に一対の切込み１３が形成されるとともに、これらの切込み１３間が連結部１４になっており、これによって切断線１２の両側が連結されている。
【００１２】
６本の半切りの折曲げ線１１と５本の切断線１２とによって、図１に示すように段ボールは１２枚の板状部１９、２０、２１、２２、２３、２４、２５、２６、２７、２８、２９、３０が順次連結するように形成されている。これらの板状部１９〜３０はその段目の方向、すなわち図１における縦方向の幅が総て等しくなっており、これによって交互に折畳むことにより緩衝体が組立てられるようになっている。
【００１３】
板状部２３には切断線１２に近接するようにスリット状開口３３が形成されるとともに、板状部２４には半切りの折曲げ線１１に臨むように横長開口３４が形成されている。また板状部２５、２６間を横切る半切りの折曲げ線１１の両側に跨るように横長の開口３５が形成されている。さらに板状部２７、２８間の半切りの折曲げ線１１を横切るように横長開口３６が形成されている。また板状部２９、３０を横切る半切りの折曲げ線１１を横切るように横長開口３７が形成されている。ここで横長開口３５、３６、３７はそれらの大きさが互いに等しくなっている。
【００１４】
横長開口３７の下端側には切断線３９を介して受け板４２が形成されている。切断線３９は両側の切込み４０によって構成される連結部４１によって受け板４２を折曲げ可能に連結している。そして受け板４２の上端には切断線４４を介して係止片４６が連設されている。係止片４６と受け板４２との間に介在される切断線４４は複数の連結部４５によって互いに連結されており、これによって受け板４２に対して折曲げ可能に係止片４６が連設されることになる。
【００１５】
図２および図３はこのような段ボールを折曲げて緩衝体を組立てる動作を示している。図１に示す段ボールの半切りの折曲げ線１１と切断線１２とを交互に互いに逆方向に折曲げる。半切りの折曲げ線１１はその一方の面のライナによって連結されており、このライナが内側になるように折曲げられる。これに対して切断線１２は連結部１４によって間欠的に連結されている。従ってこのような連結部１４によって切断線１２のところで折曲げる。なおここで板状部１９〜３０に必要に応じて糊剤や接着剤を塗布することによって、これらの板状部１９〜３０を互いに結合することが可能である。
【００１６】
このようにして折曲げられた段ボールは、図３に示すように上記の横長開口３４、３５、３６、３７によって一方の側面から上面に臨む凹部が形成される。従って横長開口３７に連設されている受け板４２を切断線３９の連結部４１によって折曲げる。そしてこの受け板４２の先端側の係止片４６を切断線４４の連結部４５によって逆方向に折曲げるとともに、係止片４６を板状部２３のスリット状開口３３内に挿入することによって、受け板４２が凹部の上面を覆うようにして固定される。
【００１７】
このような緩衝体は、上記受け板４２によって上面が覆われる凹部によって緩衝しようとする物品の角の部分を受入れることが可能になる。そしてこの段ボールを折曲げて成る緩衝体の緩衝効果によって、物品を衝撃から保護することが可能になる。
【００１８】
このような段ボールから成る緩衝体の大きな特徴は、図４に示すように切断線１２を横切って形成される連結部１４の構造にある。すなわち図４Ａに示すように、連結部１４の両側の部分を切断線１２から分断する切込み１３はその長さ方向の両端であって根元側の部分に斜めの切込み５０を有しており、このような斜めの切込み５０によって連結部１４の根元側の部分の幅が中間部分の幅よりも広くなっている。従ってこのような斜めの切込み５０を形成することによって、連結部１４の根元側であって切込み１３の終端の部分が破れ難くなる。
【００１９】
また図４Ａに示すように、連結部１４の中間位置には一対のミシン目状の切込み５１が形成されている。このような切込み５１を形成することによって、連結部１４が鎖線で示すようにＶ字状に変形するのが防止され、実線で示すようにＵ字状に変形するようになる。すなわち一対のミシン目状の切込み５１によって連結部１４が緩かな曲率をもった変形を行なうようになる。
【００２０】
図４Ｂは別の連結部１４の構成を示している。この連結部１４はその両側の切込み１３の終端が斜めの切込み５０から構成されるとともに、上記斜めの切込み５０間において上記連結部１４の根元側の近傍には円弧状の切込み５２を形成するようにしている。このような切込み５２を形成することによって、連結部１４の長さ方向に張力が加わった場合に、この張力を上記円弧状の切込み５２の開口する変形によって吸収することが可能になる。従って連結部１４に長さ方向の張力が加わるのを防止し、連結部１４が切断するのが回避される。
【００２１】
図４Ｃは連結部１４のさらに別の構成を示している。ここでは連結部１４の切込み１３の終端側の部分を斜めのミシン目状の切込み５３から形成している。このような斜めのミシン目状の切込み５３によって、とくに連結部１４の両側の切込み１３の破断が防止されることになる。しかもここでも連結部１４の根元側に円弧状の切込み５２が形成されているために、連結部１４に長さ方向の張力が加わった場合に、この張力を円弧状の切込み５２の開口によって吸収することが可能になる。
【００２２】
また図１に示すような段ボールを打抜く際に、切断線１２を横切るように形成される連結部１４を偏平に押潰すようにしてよい。すなわち中間のジグザグに折畳まれている中芯を押潰して両側のライナが押潰された中芯とぴったり密着するように押潰すようにしてよい。
【００２３】
連結部１４を予め偏平に押潰した構造によれば、図７に示すようにこの緩衝体を組立てたときに、切断線１２によって構成される端面から連結部１４が外方に突出することがなく、これによって連結部１４が擦り切れることがなくなる。また連結部１４が切断線１２によって構成される端面から突出しないために、緩衝体の外観が乱れることがなく、良好な外観を有する緩衝体が得られる。
【００２４】
次に第２の実施の形態を図５〜図９によって説明する。この実施の形態は段ボールにスリット５６と半切りの折曲げ線１１とを交互に形成している。すなわち段ボールの段目の方向に所定の間隔で６本のスリット５６と、５本の半切りの折曲げ線１１とを所定の間隔で互いに平行に形成している。これによって段ボールを板状部１９〜３０に区画している。
【００２５】
ここでスリット５６を分断する連結部１４はその両側の一対の切込み１３によってスリット５６と区画されている。なお連結部１４の構成は図８Ａに拡大して示される。
【００２６】
これに対して半切りの折曲げ線１１はその表側のライナの部分のみが連結され、その他の部分が厚さ方向に切断された半切りの折曲げ線になっている。
【００２７】
また板状部２４には横長開口３４が形成されている。また板状部２５、２６間を横切るスリット５６を横切るように横長開口３５が形成されている。また板状部２７、２８間のスリット５６を横切るように横長開口３６が形成されている。また板状部２９、３０間のスリット５６を横切るように横長開口３７が形成されている。
【００２８】
このような段ボールは図６に示すように、上記のスリット５６と半切りの折曲げ線１１とが交互に逆方向に折曲げられる。そして板状部１９〜３０を完全に折曲げて積重ねると、図７に示すような緩衝体が得られる。ここで横長開口３４〜３７が互いに整合され、これによって上面から側面に臨む凹部が形成されるようになる。この凹部が物品のコーナの部分を受入れる凹部を形成している。
【００２９】
このような緩衝体において、とくにこの緩衝体を組立てるための半切りの折曲げ線１１と交互に形成されるスリット５６の連結部１４は図８Ａに示すような一対の真直ぐな切込み１３間に形成されるような構成に代えて、図８Ｂに示すような構成にしてもよい。この構成は連結部１４の両側の切込み１３の終端に直角な切込み５４を側方に形成したものである。これによってとくに切込み１３の終端が破断し難くなる。あるいはまた図８Ｃに示すように、直角な切込み５４に代えて斜めの切込み５０を切込み１３の終端にそれぞれ形成してもよい。
【００３０】
また連結部１４の中間位置に図８Ｄに示すように、一対のミシン目状の切込み５１を形成することも可能である。あるいはまた図８Ｅに示すように、連結部１４の根元側の部分に円弧状の切込み５２を形成するようにしてよい。このような切込み５２によって連結部１４に加わる長さ方向の張力を緩和し、連結部１４の破断や切断が防止される。
【００３１】
しかもここでとくにスリット５６を連結するように連結部１４を形成しているために、板状部１９〜３０を折畳んで緩衝体を組立てたときに図９に示すように、上記連結部１４がこの緩衝体の外表面から突出することがなく、連結部１４の外側面が緩衝体の外側面とほぼ同一の平面を構成することになり、外観もきれいな直方体状の緩衝体が組立てられる。連結部１４を予め偏平に押潰しておくと、この傾向がより顕著になる。
【００３２】
またこの緩衝体はとくに図６に示すように、段ボールをスリット５６および半切りの折曲げ線１１のところで交互に折畳む際に、板状部２０、２２、２４、２６、２８にそれぞれ糊剤５７を塗布するようにしている。ここで糊剤を予め塗布した状態で折畳んだときに、図６に示す下側の折曲げ線が半切りの折曲げ線１１から構成される。そして半切りの折曲げ線１１はその内表面側のライナが連続した状態にある。従ってこの半切りの折曲げ線１１には隙間が存在せず、下側に糊が流れない。従って折畳んだときに下面に糊が付くことがなく、また機械によって折畳み動作を行ない、緩衝体を組立てる際に機械を糊剤で汚損することがなくなる。
【００３３】
ここで上記の糊剤５７としては酢酸ビニール系の糊や澱粉糊等がリサイクルの点では好適である。なお糊剤５７に代えて接着剤で板状部１９〜３０を互いに接合することも可能である。
【００３４】
緩衝体のとくに荷重が集中的に加わる部分に糊剤５７を供給することが好ましい。また糊の量を調整して強度を変化させるようにしてよい。さらには紙にしみ込んでいく糊が好ましい。しみ込まない糊は衝撃が加わったときに剥離するために不適当である。
【００３５】
また糊の供給量や糊の供給する位置に応じてこの緩衝体の緩衝効果を調整することができる。一般に糊を供給して付着させると、緩衝効果が減少するものの耐圧強度が高くなる。従ってクッション性が要求される部分には糊を塗布せず、クッション性が要求されない部分に糊を塗布することが好ましい。これによって単一のピースの緩衝体でありながら、緩衝効果のある部分とない部分とを作り出すことが可能になる。
【００３６】
次に第３の実施の形態を図１０によって説明する。ここでは段ボールに７本の切断線１２を互いに平行に、しかも段目に対して直角に形成している。これらの切断線１２を横切るように複数本の連結部１４がそれぞれ形成されている。しかも板状部１９〜２６の内の両端の板状部１９、２６以外の板状部２０〜２５については、適宜円形の開口５８が形成されている。このような開口５８はその緩衝効果を高めるためのものである。
【００３７】
このような段ボールはとくに連結部１４を有する切断線１２のところで交互に逆方向に折曲げられ、これによって直方体状をなす緩衝体が組立てられる。なお糊剤や接着剤によって板状部１９〜２６を互いに糊付けして接合することが可能である。
【００３８】
このような段ボールによって組立てられる緩衝体は、円形の開口５８によって軽量化が図られるとともに、内部の円形の開口５８によって柔軟な緩衝性が発揮される。すなわち弾性係数の低い緩衝効果を有する緩衝体が得られる。
【００３９】
【発明の効果】
本願の主要な発明は、連続する段ボールから構成され、互いにほぼ平行な複数の折曲げ部を有し、該折曲げ部のところで交互に逆方向に折曲げるようにした緩衝体において、少なくとも一部の折曲げ部が切断線から構成され、該切断線と交差する一対の切込みによって連結部が形成され、連結部によって切断線の両側の部分が折曲げ可能に連結され、しかも連結部を形成する切込みの終端が連結部の幅が広くなるような斜めの切込みから構成されるようにしたものである。
【００４０】
従ってこのような緩衝体は、連結部を形成する切込みの終端に連結部の幅が広くなるような斜めの切込みが形成されており、このような斜めの切込みによってとくに連結部の根元部分の破断が防止されるようになり、折曲げて組立てたときに破壊し難くなる。
【００４１】
本願の別の主要な発明は、連続する段ボールから構成され、互いにほぼ平行な複数の折曲げ部を有し、該折曲げ部のところで交互に逆方向に折曲げるようにした緩衝体において、折曲げ部が表面のライナを残した切断線と、所定の幅のスリットとから成り、切断線とスリットとが交互に形成され、しかもスリットと交差する一対の切込みによって連結部が形成され、連結部によってスリットの両側の部分が折曲げ可能に連結され、しかも連結部を形成する切込みの終端が連結部の幅が広くなるような斜めの切込みから構成され、切断線がライナを内側にして谷折りされるようにしたものである。
従ってこのような緩衝体によれば、連続する段ボールを表面のライナを残した切断線と連結部を有するスリットとによって交互に折曲げることが可能になり、これによって緩衝体が組立てられる。とくにライナを内側にして谷折りすると、この部分では下側に開口するスリットが形成されないために、糊剤や接着剤を供給しても下側に流出することが防止される。
【図面の簡単な説明】
【図１】第１の実施の形態の緩衝体の展開平面図である。
【図２】同緩衝体の組立て動作を示す外観斜視図である。
【図３】組立てられた緩衝体の外観斜視図である。
【図４】連結部の構造を示す平面図および拡大断面図である。
【図５】第２の実施の形態の緩衝体の展開平面図である。
【図６】同緩衝体の組立て動作を示す外観斜視図である。
【図７】同緩衝体の外観斜視図である。
【図８】連結部の構成を示す拡大平面図である。
【図９】組立てたときの連結部の状態を示す要部拡大斜視図である。
【図１０】さらに別の実施の形態の緩衝を構成する段ボールの展開平面図である。
【符号の説明】
１１  半切りの折曲げ線
１２  切断線
１３  切込み
１４  連結部
１９〜３０  板状部
３３  スリット状開口
３４〜３７  横長開口
３９  切断線
４０  切込み
４１  連結部
４２  受け板
４４  切断線
４５  連結部
４６  係止片
５０  斜めの切込み
５１  ミシン目状の切込み
５２  円弧状の切込み
５３  斜めのミシン目状の切込み
５４  直角な切込み
５６  スリット
５７  糊剤
５８  円形の開口
【図１】
0004535481.tif 000002
【図２】
0004535481.tif 000003
【図３】
0004535481.tif 000004
【図４】
0004535481.tif 000005
【図５】
0004535481.tif 000006
【図６】
0004535481.tif 000007
【図７】
0004535481.tif 000008
【図８】
0004535481.tif 000009
【図９】
0004535481.tif 000010
【図１０】
0004535481.tif 000011